(57)【特許請求の範囲】
【請求項１】
第１の電池（１６）および第２の電池（１６）をそれぞれ受容するように構成され、それぞれが、環状の側壁（３２）、開放端（３４）、端壁（３６）および凹部（３８）を含む、第１の電池ウェル（２０）および第２の電池ウェル（２０）と、
前記第１および第２の電池ウェル（２０、２０）のそれぞれにおいて、前記開放端（３４）に配置され、前記電池ウェル（２０）内に前記電池（１６）を離脱可能に保持するために、前記環状の側壁（３２）から径方向内側に延びる複数のタブ（５４、５６）と
を備える電子装置（１０）であって、
前記第１および第２の電池ウェル（２０、２０）のそれぞれにおいて、前記開放端（３４）は、前記環状の側壁（３２）の第１端部に配置され、前記端壁（３６）は、前記環状の側壁（３２）の第２端部で、前記環状の側壁（３２）に対して略垂直に、かつ、軸方向で前記凹部（３８）と前記開放端（３４）との間に配置され、前記凹部（３８）は、前記環状の側壁（３２）の第２端部に、前記端壁（３６）と隣接して配置され、前記凹部（３８）は、前記電池（１６）の一部をその中に受容するように構成され、
前記第１および第２の電池ウェル（２０、２０）のそれぞれの前記複数のタブ（５４、５６）が、前記端壁（３６）と略平行な平面を画定するために連携しており、
前記電子装置（１０）が、前記第１の電池ウェルと前記第２の電池ウェルとの間に配置された押圧可能な部材（１７０）を備え、
前記押圧可能な部材（１７０）は、前記押圧可能な部材（１７０）の表面が前記第１および第２の電池ウェルの前記開放端（３４、３４）に配置されている第１の位置と、前記表面が前記開放端（３４、３４）と前記凹部（３８、３８）との間に配置されている第２の位置との間で、前記凹部（３８、３８）に向かって、また前記凹部（３８、３８）から離れるように弾性的に移動可能であり、
前記押圧可能な部材（１７０）が前記第２の位置に移動することによって、前記第１および第２の電池ウェル（２０、２０）に受容された前記第１および第２の電池（１６、１６）が、部分的に前記凹部（３８、３８）内に受容され、部分的に前記第１および第２の電池ウェル（２０、２０）から取り出される、
電子装置（１０）。
【請求項２】
前記電池（１６）が前記電池ウェル（２０）内に完全に装着されると前記電池（１６）が前記複数のタブ（５４、５６）と前記端壁（３６）との間に配置されるように、前記複数のタブ（５４、５６）および前記端壁（３６）が配置される請求項１記載の電子装置（１０）。
【請求項３】
前記凹部（３８）が、前記端壁（３６）に対して直角でない第１の角度、および前記電池ウェル（２０）の長手軸（Ａ）に対して直角でない第２の角度で配置される平坦な表面により画定される請求項１または２記載の電子装置（１０）。
【請求項４】
前記タブ（５４、５６）および前記端壁（３６）ならびに前記押圧可能な部材（１７０）は、前記電池の対向する第１および第２の面が前記押圧可能な部材（１７０）が前記第１の位置にあるときは前記端壁に対して略平行であるように、前記電池が前記タブと前記端壁との間に受容されるように配置され、
前記押圧可能な部材（１７０）を前記第２の位置へ動かすと、前記電池が、前記タブ（５４、５６）の少なくとも１つと非係合となり、前記電池の第１および第２の面が前記端壁（３６）に対して傾斜されるように前記凹部（３８）内に受容される請求項１〜３のいずれか１項に記載の電子装置（１０）。
【請求項５】
前記押圧可能な部材が片持ち式のレバー（１７２）を含む請求項４記載の電子装置（１０）。
【請求項６】
前記複数のタブ（５４、５６）の１つと位置合わせされる第１の接点（４８）と、前記端壁（３６）の開口を通して前記電池ウェル（２０）内に突出する第２の接点（５２）とをさらに備え、前記第１および第２の接点（４８、５２）は、前記電池（１６）と接触するように配置され、前記電池ウェル（２０）内に前記電池（１６）が受容されると、前記電池（１６）と連携して電気回路を完成させる請求項１〜５のいずれか１項に記載の電子装置（１０）。
【請求項７】
前記第１および第２の接点（４８、５２）が、前記電池（１６）が前記電池ウェル（２０）内の完全に装着された位置に保持されるように配置される弾性的に撓み得るバネを含む請求項６記載の電子装置（１０）。
【請求項８】
前記第１の接点が、前記電池が装着されると前記電池の周縁の近接で前記電池（１６）の第１の面に接触するように配置される請求項６または７記載の電子装置（１０）。
【請求項９】
前記第２の接点が、前記電池の第２の面の中央領域に接触する請求項６〜８のいずれか１項に記載の電子装置（１０）。
【請求項１０】
前記押圧可能な部材の前記表面が、前記第１の位置では前記平面に沿って配置され、前記第２の位置では前記平面と前記凹部との間に配置される請求項１〜９のいずれか１項に記載の電子装置（１０）。
【請求項１１】
前記押圧可能な部材が、前記第２の位置へ動くと、前記電池の第１の面および第２の面が前記端壁に対して同時に傾斜されるよう、前記電池がそれぞれの凹部内に受容されるように配置される請求項１〜１０のいずれか１項に記載の電子装置（１０）。
【請求項１２】
前記第１および第２の電池（１６、１６）のそれぞれが、円板状である請求項１〜１１のいずれか１項に記載の電子装置（１０）。
【発明の詳細な説明】
【技術分野】
【０００１】
本開示は、医療検査装置用の電池ウェルに関する。
【背景技術】
【０００２】
血中グルコース検査装置などの電子医療検査装置は、例えば、装置に電力を供給するために１つまたは複数の交換可能な電池を含み得る。このような検査装置は、道具を用いない容易な電池の装着および取り外し、および器用さが制限されるユーザによる容易な電池の装着および取り外しを可能にするよう構成されることが望ましい。
【０００３】
この項目は、本開示に関する背景情報を提供するものであり、先行技術とは限らない。
【発明の概要】
【０００４】
この項目は、本開示の概略的な概要を提供するものであり、その全体の範囲またはその特徴の全てを包括する開示ではない。
【０００５】
一形態において、本開示は、電池ウェルおよび複数のタブを含み得る電子装置を提供する。電池ウェルは、円盤状の電池を受容するように構成されてもよく、環状の側壁、開放端、端壁および凹部を含み得る。開放端は、環状の側壁の第１端部に配置され得る。端壁は、環状の側壁の第２端部で環状の側壁に対して略垂直に、かつ、軸方向で凹部と開放端との間に配置され得る。凹部は、環状の側壁の第２端部に、端壁と隣接して配置され得る。凹部は、電池の一部をその中に受容するように構成され得る。複数のタブは、開放端に配置でき、電池ウェル内に電池を離脱可能に保持するために、環状の側壁から径方向内側に延び得る。複数のタブは、端壁と略平行な面を画定するために連携し得る。
【０００６】
電子装置は、例えば、血中グルコース測定器であってもよいし、他の医療検査装置であってもよい。
【０００７】
いくつかの実施形態において電池は、電池が電池ウェル内に完全に装着されると、複数のタブと端壁との間に配置され得る。
【０００８】
いくつかの実施形態において凹部は、端壁に対して直角でもゼロ角度でもない第１の角度、および電池ウェルの長手軸に対して直角でもゼロ角度でもない第２の角度で配置される平坦な表面により画定され得る。
【０００９】
いくつかの実施形態において電子装置は、第１の位置と第２の位置との間で弾性的に撓み得るボタンを含み得る。また電池は、電池の対向する第１および第２の面がボタンが第１の位置にあるときは端壁に対して略平行であるように、タブと端壁との間に受容されることが可能であってもよい。ボタンを第２の位置へ動かすと、電池は、タブの少なくとも１つと非係合となり、電池の第１および第２の面が端壁に対して傾斜されるように凹部内に受容される。
【００１０】
いくつかの実施形態において、ボタンは片持ち式のレバーを含み得る。
【００１１】
いくつかの実施形態において、電子装置は、複数のタブの１つと位置合わせされる第１の接点と、端壁の開口を通して電池ウェル内に突出する第２の接点とを含み得る。第１および第２の接点は、電池と接触し、電池ウェル内に電池が受容されると、電池と連携して電気回路を完成させ得る。
【００１２】
いくつかの実施形態において、第１および第２の接点は、電池を電池ウェル内の完全に装着された位置に保持する弾性的に撓み得るバネを含み得る。
【００１３】
いくつかの実施形態において、第１の接点は、電池の周縁の近接で電池の第１の面に接触し得る。
【００１４】
いくつかの実施形態において、第２の接点は、電池の第２の面の中央領域に接触し得る。
【００１５】
別の形態において、本開示は、第１および第２の電池ウェルならびに押圧可能な部材を含み得る電子装置を提供する。第１および第２の電池ウェルは、第１および第２の円盤状の電池をそれぞれ受容するように構成され得る。電池ウェルはそれぞれ、環状の側壁、開放端、端壁および凹部を含み得る。端壁は、環状の側壁に対して略垂直に、かつ、軸方向で凹部と開放端との間に配置され得る。凹部は、環状の側壁の一端に、端壁と隣接して配置され得る。凹部は、第１および第２の電池それぞれの一部をその中に受容するように構成され得る。第１の電池ウェルと第２の電池ウェルとの間には、押圧可能な部材が配置されてもよく、押圧可能な部材は、押圧可能な部材の表面が第１および第２の電池ウェルの開放端に配置されている第１の位置と、その表面が開放端と凹部との間に配置されている第２の位置との間で、凹部に向かって、また凹部から離れるように弾性的に移動可能であり得る。
【００１６】
電子装置は、例えば、血中グルコース測定器であってもよいし、他の医療検査装置であってもよい。
【００１７】
いくつかの実施形態において、電子装置は、第１および第２の複数のタブを含み得る。第１の複数のタブは、第１の電池ウェルの開放端に配置でき、第１の電池ウェル内に第１の電池を離脱可能に保持するために、第１の電池ウェルの環状の側壁から径方向内側に向かって延びていてもよい。第２の複数のタブは、第２の電池ウェルの開放端に配置でき、第２の電池ウェル内に第２の電池を離脱可能に保持するために、第２の電池ウェルの環状の側壁から径方向内側に向かって延びていてもよい。第１および第２の複数のタブは、端壁と略平行な平面を画定するために連携し得る。
【００１８】
いくつかの実施形態において、押圧可能な部材の表面は、第１の位置では平面に沿って配置され、第２の位置では平面と凹部との間に配置され得る。
【００１９】
いくつかの実施形態において、電池は、電池の対向する第１および第２の面が、押圧可能な部材が第１の位置にあるときは端壁に対して略平行であるようにタブと端壁との間に受容されることが可能であってもよい。押圧可能な部材を第２の位置へ動かすと、第１の電池は第１のタブの少なくとも１つと非係合となり、第２の電池は第２のタブの少なくとも１つと非係合となる。
【００２０】
いくつかの実施形態においては、押圧可能な部材を第２の位置へ動かすと、電池は、電池の第１および第２の面が端壁に対して傾斜されるように凹部内に受容され得る。
【００２１】
いくつかの実施形態において、第１および第２のウェルの凹部は、端壁および第１および第２のウェルの長手軸に対してそれぞれ傾斜されている、第１および第２の平面によって画定され得る。
【００２２】
いくつかの実施形態において、電子装置は、第１、第２、第３および第４の接点を含み得る。第１の接点は、複数の第１のタブの１つと位置合わせされ得る。第２の接点は、第１の電池ウェルの端壁の開口を通して、第１の電池ウェル内に突出し得る。第３の接点は、複数の第２のタブの１つと位置合わせされ得る。第４の接点は、第２の電池ウェルの端壁の開口を通して、第２の電池ウェル内に突出し得る。
【００２３】
いくつかの実施形態において、第１および第３の接点は、第１および第２の電池の第１の面にそれぞれ接触し得る。第２および第４の接点は、第１および第２の電池の第２の面にそれぞれ接触し得る。このように、第１、第２、第３および第４の接点は、第１および第２の電池が第１および第２の電池ウェルにそれぞれ受容されるときに電気回路を完了させるために、第１および第２の電池と連携するように構成され得る。
【００２４】
いくつかの実施形態において、第１、第２、第３および第４の接点は、第１および第２の電池ウェル内の完全に装着された位置に電池を保持する弾性的に撓み得るバネを含み得る。
【００２５】
いくつかの実施形態において、第１の接点は、第１の電池の周縁の近接で第１の電池に接触し得る。
【００２６】
いくつかの実施形態において、第２の接点は、第１の電池の第２の面の中央領域に接触し得る。
【００２７】
他の適用領域は、本明細書においてもたらされる記載から明らかとなるだろう。この要約における記載および特定の実施例は、例示のみを目的とすることを意図されており、本開示の範囲を制限することは意図されていない。
【００２８】
本明細書に記載する図面は、可能な全ての実施ではなく選択された実施形態の例示のみを目的とし、本開示の範囲を制限することは意図されていない。
【図面の簡単な説明】
【００２９】
【図１】本開示の原理による、電池ウェルを囲う電池ドアを含む電子装置の斜視図である。
【図２】電池ドアが取り除かれ、電池が電池ウェル内に完全に装着されている状態の、図１の電子装置の斜視図である。
【図３】電池が電池ウェルから取り除かれた状態の、電子装置の斜視図である。
【図４】電池が電池ウェル内の部分的に非係合位置にある状態の、電子装置の斜視図である。
【図５】本開示の原理による電池ウェルを含む別の電子装置の斜視図である。
【図６】電池が電池ウェル内に完全に装着されている状態の、図５の電子装置の斜視図である。
【図７】電池が電池ウェル内の部分的に非係合位置にある状態の、図５の電子装置の斜視図である。
【発明を実施するための形態】
【００３０】
対応する参照番号は、図面のいくつかの図にわたって対応する部分を示す。
【００３１】
例示的な実施形態は、添付の図面を参照してより完全に記載される。
【００３２】
図１〜４を参照すると、電子装置１０は、筐体１２、測定部品１４（図１に概略的に示す）および１つまたは複数の電池１６を含み得る。測定部品１４は、筐体１２内に配置でき、電子装置１０の、１つまたは複数のユーザーインターフェースボタン（図示せず）および／またはディスプレイスクリーン（図示せず）と通信し得る。いくつかの実施形態において、電子装置１０は、例えば血中グルコース測定器などの、携帯型の医療検査装置であり得る。このような実施形態において、測定部品１４は血液試料から（例えば、テストストリップから）血中グルコースレベルを測定するように構成され得る。例えば、測定部品１４は、譲渡人が共有する米国特許第８，３９４，３４３号に開示される種類の血中グルコース測定部品であってもよく、その開示は参照により本明細書に組み込まれる。電池１６は、測定部品１４およびディスプレイスクリーンに電気接続でき、そこに電流を流し得る。電子装置１０は、任意の種類の携帯型および／または持ち運び可能な電子装置であり得ることが理解される。
【００３３】
筐体１２は、例えばポリマー材料から成型あるいは形成され得る。筐体１２は、一組の電池ウェル２０が形成され得る電池区画１８を含み得る。以下により詳細に記載されるように、各電池ウェル２０は、電池１６の１つをその中に取り外し可能に受容し得る。図面は２つの電池ウェル２０および２つの電池１６を有する電池区画１８を示しているが、いくつかの実施形態において、電池区画１８は単一の電池ウェル２０および単一の電池１６のみを含んでいてもよいし、３つ以上の電池ウェル２０および３つ以上の電池１６を含んでいてもよい。図１に示すように、電池区画１８は、ドア２２を筐体１２に取り外し可能に固定するために、筐体１２内に形成されるキャビティ２６とスナップ係合する可撓性のタブ２４を有するドア２２を含み得る。ハウジング１２と係合されると、ドア２２は電池ウェル２０および電池１６を被覆および保護し得る。
【００３４】
電池１６は、円盤状の電池（例えば、ボタン型またはコイン型）であってもよい。例えば、いくつかの実施形態において、電池１６は、３ボルトのリチウムコイン型電池（例えば、ＣＲ２０３２タイプ）であってもよい。電池１６は、所与の用途に適した任意の種類の略円盤状の電池であってよいことが理解される。図２および４に示すように、電池１６はそれぞれ、略平坦な第１の面２８と、第１の面２８と略平行な、略平坦ない第２の面（図示せず）と、第１の面２８と第２の面との間に延びる外縁３０とを含み得る。各電池１６の第１および第２の面の一方は負極であってもよく、第１および第２の面の他方は正極であり得る。
【００３５】
図３に示すように、電池ウェル２０はそれぞれ、環状の側壁３２、開放端３４、端壁３６および凹部３８を含む略円筒状のキャビティであり得る。環状の側壁３２は電池ウェル２０の外縁を画定し得る。各環状の側壁３２は、長手軸Ａ（すなわち、図２に示すような、回転対称軸）により画定され得る。隣接する電池ウェル２０の環状の側壁３２は、略鞍状またはＵ字型の壁４０によって分離され得る。
【００３６】
開放端３４は環状の側壁３２の一方の軸方向端部に配置されてもよく、端壁３６は環状の側壁３２の反対側の軸方向端部に配置されてもよい。端壁３６は、略平坦な壁であってもよく、長手軸Ａに対して略垂直であり得る。凹部３８は、環状の側壁３２と端壁３６の縁４４との間に延びる表面４２（図３）により画定され得る。表面４２は、端壁３６および長手軸に対して傾斜して配置されてもよい。端壁３６は、軸方向で凹部３８と開放端３４との間に配置される。各電池ウェル２０の凹部３８は、表面４２が、電池ウェルの中央領域から、２つの隣接する電池ウェル２０を分離する壁４０に隣接する電池ウェル２０の領域まで延びるにつれて下側に傾斜するように配置され得る。いくつかの実施形態において、２つの隣接する電池ウェル２０の縁４４は、図３に示すように互いに対して傾斜され得る。
【００３７】
各電池ウェル内において、環状の側壁３２に、または環状の側壁３２に近接して、第１の開口４６（図３）が形成されていてもよい。第１の端子接点４８が、各電池ウェル２０の各第１の開口４６を通って延びていてもよい。各電池ウェル２０は、端壁３６および／または表面４２に形成される第２の開口５０（図３）も含み、これを通って第２の端子接点５２が電池ウェル２０内に延びていてもよい。第１の端子接点４８は、弾性的に圧縮可能な遠位端４９を含み得る。第２の端子接点５２は、例えば、弾性的に撓み得る片持ち式のレバーであってもよい。第１および第２の端子接点４８、５２は、測定部品１４に電気的に接続され得る。第１の端子接点４８は電池１６の第１の面２８に接触し、第２の端子接点５２は電池１６の第２の面に接触し得る。このようにして、電池ウェル２０への電池１６の装着は、電池１６、第１および第２の端子接点４８、５２および測定部品１４を含む電気回路を完成させることができる。
【００３８】
各環状の側壁３２は、そこから径方向内側に延びる、第１のタブ５４および一対の第２のタブ５６を含み得る。第１および第２のタブ５４、５６は、電池ウェル２０の開放端３４に配置でき、端壁３６に略平行な面を画定するために連携し得る。各第１のタブ５４は、対応する電池ウェル２０の第１の端子接点４８と角度的に位置合わせされ得る。このようにして、各第１の端子接点４８の弾性的に圧縮可能な遠位端４９は、電池１６が電池ウェル２０内に装着されると、第１のタブ５４と電池１６の第１の面２８との間で圧縮され得る。第２のタブ５６は、電池１６が電池ウェル２０内に装着されると、電池１６の第１の面２８とスナップ係合し得る。このようにして、電池１６は、端壁３６とタブ５４、５６との間で電池ウェル２０内に保持され得る。電池１６の対応する面に対して撓んだ第１および第２の接点４８、５２のバネ力は、電池ウェル２０内に電池１６を保持し、電池１６と接点４８、５２との間の強力な電気的接続を維持することを補助することができる。電池が、電池ウェル２０において、電池と電子装置との間の電気的接触が電池で捉えたエネルギーを電子装置に移すために提供される不安定な均衡状態に配置され得るように、バネ、タブ５４、５６および側壁が配置される。ユーザは、電池１６が安定した固定されていない均衡状態へと移るように、例えば電池１６を押圧したり単に電池１６に触れたりすることによって、固定された電池１６の均衡状態を容易に壊すことができる。この状態においてユーザは、電池ウェル２０から電池１６を容易に取り出すことができる。さらなる実施形態において、電池ウェルは、この動作を行うためにある種の弾性的なボタン１７２を備える。電子装置１０がいくつかの電池を備える場合、１つの動作で全ての電池が固定された位置から固定されていない位置へと同時に取り除かれるような、１つの単一のボタンが配置されることが好ましい。
【００３９】
対応する電池ウェル２０内に電池１６を装着するために、各電池１６の外縁３０は、第１の接点４８の遠位端４９は、電池１６の第１の面２８と第１のタブ５４との間で圧縮されるように、端壁３６と第１のタブ５４との間で電池ウェル２０内に挿入され得る。その後、電池１６が第２のタブ５６とスナップ係合するように、電池１６の残りの部分が第２のタブ５６を越えて電池ウェル２０内に押し込まれ得る。電池１６が電池ウェル２０内に完全に受容された状態では、電池１６の第１および第２の面は、端壁３６に対して略平行であり、全体として端壁３６とタブ５４、５６との間に配置され得る。電池１６は、ドア２２が筐体１２に取り付けられていない場合であっても電池ウェル２０内に確実に保持され得ることが理解される。さらに電子装置１０は、ドア２２が筐体１２に取り付けられていない場合であっても、電池１６が電池ウェル２０内に完全に装着されているときには完全に動作し得る。
【００４０】
電池ウェル２０から電池１６を取り出すために、ユーザは壁４０に隣接し凹部３８の上部にある、電池１６の第１の面２８の領域６０（図２に二点鎖線で示す）上を押すことができ（例えば、親指または他の指を用いて）、これによりユーザによって加えられた下向きの力が電池１６を縁４４周りに枢動させ、図４に示すように電池１６が凹部３８内に部分的に受容され得るように（すなわち、電池１６の第１および第２の面が凹部３８の表面４２と略平行になり得るように）第２のタブ５６の１つを越えてスナップさせる。その後、接点４８、５２のバネ力は電池１６を電池ウェル２０の外に排出し得るか、またはユーザが電池１６を把持して電池ウェル２０から電池１６を容易に完全に取り出すことができるように、図４に示すような傾斜した部分的に非係合となる位置で電池１６を維持し得る。図１〜４に示す実施形態において、ユーザは、親指または他の単一の指を用いて両方の電池１６の領域６０を同時に押圧することができ、タブ５６から両方の電池１６を同時に非係合とし、電池１６が上述のように排出または把持されて取り外され得る。
【００４１】
いくつかの実施形態において、各環状の側壁３２は、他方の第２のタブ５６よりも凹部３８からより遠い一方の第２のタブ５６の両側に、開放端３４において一対の面取りされた縁６２を含んでいてもよい。面取りされた縁６２は、図４に示すように、電池１６が傾斜されて電池ウェル２０から出るような隙間を与える。
【００４２】
図５〜７を参照すると、筐体１１２、測定装置（図示せず）および１つまたは複数の電池１１６を含み得る別の電子装置１０が提供されている。筐体１１２、測定装置および電池１１６の構造および機能は、図面に示す差異および／または後述する差異以外は、上述の筐体１２、測定部品１４および電池１６と同様または同一であってもよい。それゆえ、同様の特徴については再び詳細には記載しない。
【００４３】
筐体１２と同様に、筐体１１２は一対の電池ウェル１２０を含み得る。電池ウェル１２０は、電池ウェル２０と同様または同一であってもよい。それゆえ、同様の特徴については再び詳細には記載しない。電池ウェル２０は壁４０によって分離されているものとして上述されているが、筐体１１２は電池ウェル１２０の両方と連通する開口１４０を含み得る。筐体１１２は、図４に示す傾斜した位置に電池１１６を押し込むために、開口１４０内へと弾性的に撓み得る弾性的に押圧可能なボタン１７０を含み得る。いくつかの実施形態において、ボタン１７０は、一端で筐体１１２に取り付けられる片持ち式のレバー１７２を含み得る。電池１１６の第１の面１２８が自由端１７４の下で電池ウェル１２０内に受容され得るように、ボタン１７０の自由端１７４は、電池ウェル１２０の自由端１３４に、または自由端１３４の上部に配置され得る。
【００４４】
電池ウェル１２０内への電池１１６の装着は、上述の工程と同様または同一であってもよい。電池ウェル１２０から電池１１６を取り出すためには、ユーザはボタン１７０の自由端１７４を開口１４０内へと下方向へ押し（例えば、親指または他の指を用いて）、それにより、図７に示すように、電池１１６が部分的に凹部１３８内に受容され得るように（例えば、電池１１６の第１および第２の面が凹部１３８の表面１４２（図５）と略平行になり得るように）電池１１６を縁１４４周りで凹部１３８内へと枢動させ（図５）、第２のタブ１５６の１つを越えてスナップさせる力を、自由端１７４が電池１１６に加える。その後、接点１４８、１５２（図５）のバネ力は、電池１１６を電池ウェル１２０の外に排出し得るか、またはユーザが電池１１６を把持して電池ウェル１２０から電池１１６を容易に完全に取り出すことができるように、図７に示すような傾斜した部分的に非係合となる位置で電池１１６を維持することができる。
【００４５】
図面は２つの電池ウェル１２０および２つの電池１１６を有する電子装置１１０を示しているが、いくつかの実施形態において電子装置１１０は、単一の電池ウェル１２０および単一の電池１１６のみを含んでいてもよいし、３つ以上の電池ウェル１２０および３つ以上の電池１１６を含んでいてもよい。
【００４６】
上述の実施形態の記載は、例示および説明を目的としたものであり、網羅的なものとなったり開示を限定したりすることは意図されていない。特定の実施形態の個別の要素または特徴は、一般にはその特定の実施形態に限定されることなく、適用可能であったり代替可能であったりする場合には、具体的に図示または説明されていなくても選択された実施形態において使用され得る。また、特定の実施形態の個別の要素または特徴は、様々な方法で変更され得る。このような変更は、本開示からの逸脱とはみなされず、このような修正は全て本開示の範囲内に含まれることを意図されている。
【００４７】
例示的な実施形態は、本開示が徹底したものとなり、当業者にその範囲を完全に伝えるように提供される。本開示の実施形態の徹底的な理解をもたらすために、特定の部品、装置および方法の例など、多数の具体的な詳細が示される。具体的な詳細は用いられなくてもよく、例示的な実施形態は多くの異なる形態で実施でき、また本開示を制限するものと理解されるべきではないことは、当業者にとっては明らかである。いくつかの例示的な実施形態において、周知の工程、周知の装置構成および周知の技術は詳細には記載されない。
【００４８】
本明細書で用いられる用語は、具体的な例示の実施形態を説明することのみを目的とし、限定することは意図されていない。本明細書で用いられる場合、単数形「ａ」、「ａｎ」および「ｔｈｅ」は、文脈で明確に示していない場合には、複数形を含むものと意図され得る。「備える」、「備えている」、「含んでいる」および「有している」という語は包括的であるので、記述される特徴、整数、ステップ、動作、要素、および／または部品の存在を特定するものの、他の１つまたは複数の特徴、整数、ステップ、動作、要素、部品、および／またはそれらの群の存在を除外するものではない。本明細書に記載される方法ステップ、工程および動作は、実施の順番として詳細に特定されない限りは、必ずしも説明または図示される特定の順番で実施されることを要するとは理解されない。また、付加的または代替的なステップも用いられ得るということも理解されるべきである。
【００４９】
ある要素または層が、別の要素または層「の上にある」、「に係合される」、「に接続される」または「に連結される」という場合、その要素または層は、別の要素または層の上に直接あるか、直接的に係合、接続または連結されてもよいし、介在する要素または層が存在していてもよい。対照的に、要素が、別の要素または層「の上に直接ある」、「に直接係合される」、「に直接接続される」または「に直接連結される」という場合、介在する要素または層は存在しなくてもよい。要素間の関係を説明するために用いられる他の語も、同様の方法で理解されるべきである（例えば、「間に」と「直接間に」、「隣接して」と「直接隣接して」など）。本明細書で用いられる場合、「および／または」という語は列挙される関連する項目の１つまたは複数の、任意および全ての組み合わせを含んでいる。
【００５０】
第１の、第２の、第３のなどの語は、本明細書においては様々な要素、部品、領域、層および／またはセクションを説明するために用いられ得るが、これらの要素、部品、領域、層および／またはセクションは、これらの語により限定されるべきではない。これらの語は、１つの要素、部品、領域、層またはセクションを他の領域、層またはセクションから区別するためだけに用いられ得る。「第１の」、「第２の」などの語ならびに他の数に関する語は、本明細書で用いられる場合、文脈により明確に示されない限りは順序や順番を意味するものではない。ゆえに、後述する第１の要素、部品、領域、層またはセクションは、例示的な実施形態の教示から逸脱することなく、第２の要素、部品、領域、層またはセクションと称されることもできる。
【００５１】
「内側の」、「外側の」、「真下に」、「下に」、「下側の」、「上に」、「上側の」などの空間に関する語は、本明細書においては図面に示すある要素または特徴の、別の１つまたは複数の要素または特徴に対する関係を説明するために、記載を容易にする目的で用いられ得る。空間に関する語は、図面に示した向きに加えて、使用または動作中の装置の様々な向きも包括することを意図され得る。例えば、図面の装置が裏返されると、他の要素または特徴の「下に」または「真下に」あるものと記載される要素は、他の要素または特徴の「上に」向けられる。ゆえに、例として挙げた「下に」という語は、上下両方の向きを含み得る。装置は他の向きに向けられてもよく（９０度または他の向きに回転される）、本明細書で用いられる空間に関する記述子はそれに応じて理解される。
【００５２】
本発明の概念を示すためにいくつかの実施形態を以下に記載する。
【００５３】
１．ａ．円盤状の電池を受容するように構成され、環状の側壁、開放端、端壁および凹部を含む電池ウェルと、
ｂ．開放端に配置され、電池ウェル内に電池を離脱可能に保持するために、環状の側壁から径方向内側に延びる複数のタブとを備え、
開放端は、環状の側壁の第１端部に配置され、端壁は、環状の側壁の第２端部で環状の側壁に対して略垂直に、かつ、軸方向で凹部と開放端との間に配置され、凹部は、環状の側壁の第２端部に、端壁と隣接して配置され、凹部は、電池の一部をその中に受容するように構成され、
複数のタブが、端壁と略平行な面を画定するために連携している
電子装置。
【００５４】
２．電池が電池ウェル内に完全に装着されると電池が複数のタブと端壁との間に配置される実施形態１記載の電子装置。
【００５５】
３．凹部が、端壁に対して直角でない第１の角度、および電池ウェルの長手軸に対して直角でない第２の角度で配置される平坦な表面により画定される実施形態１記載の電子装置。
【００５６】
４．第１の位置と第２の位置との間で弾性的に撓み得るボタン（１７０）をさらに備え、電池の対向する第１および第２の面がボタンが第１の位置にあるときは端壁に対して略平行であるように、電池（１６）がタブと端壁との間に受容されることが可能であって、ボタンを第２の位置へ動かすと、電池が、タブの少なくとも１つと非係合となり、電池の第１および第２の面が端壁に対して傾斜されるように凹部内に受容される実施形態１記載の電子装置。
【００５７】
５．ボタンが片持ち式のレバーを含む実施形態４記載の電子装置。
【００５８】
６．複数のタブの１つと位置合わせされる第１の接点と、端壁の開口を通して電池ウェル内に突出する第２の接点とをさらに備え、第１および第２の接点は、電池と接触し、電池ウェル内に電池が受容されると、電池と連携して電気回路を完成させる実施形態１記載の電子装置。
【００５９】
７．第１および第２の接点が、電池を電池ウェル内の完全に装着された位置に保持する弾性的に撓み得るバネを含む実施形態６記載の電子装置。
【００６０】
８．第１の接点が、電池の周縁の近接で電池の第１の面に接触する実施形態６記載の電子装置。
【００６１】
９．第２の接点が、電池の第２の面の中央領域に接触する実施形態８記載の電子装置。
【００６２】
１０．ａ．第１および第２の円盤状の電池をそれぞれ受容するように構成される第１および第２の電池ウェルであって、それぞれが環状の側壁、開放端、端壁および凹部を含み、端壁は、環状の側壁に対して略垂直に、かつ、軸方向で凹部と開放端との間に配置され、凹部は、環状の側壁の一端に、端壁と隣接して配置され、凹部は、第１および第２の電池のそれぞれ１つの一部を受容するように構成される第１および第２の電池ウェルと、
ｂ．第１の電池ウェルと第２の電池ウェルとの間に配置された押圧可能な部材であって、押圧可能な部材が、押圧可能な部材の表面が第１および第２の電池ウェルの開放端に配置されている第１の位置と、その表面が開放端と凹部との間に配置されている第２の位置との間で、凹部に向かって、また凹部から離れるように弾性的に移動可能である押圧可能な部材と
を含む電子装置。
【００６３】
１１．ｃ．第１の電池ウェルの開放端に配置され、第１の電池ウェル内に第１の電池を離脱可能に保持するために、第１の電池ウェルの環状の側壁から径方向内側に向かって延びる第１の複数のタブと、
ｄ．第２の電池ウェルの開放端に配置され、第２の電池ウェル内に第２の電池を離脱可能に保持するために、第２の電池ウェルの環状の側壁から径方向内側に向かって延びる第２の複数のタブと
をさらに含み、第１および第２の複数のタブは、端壁と略平行な平面を画定するために連携する実施形態１０記載の電子装置。
【００６４】
１２．押圧可能な部材の表面が、第１の位置では平面に沿って配置され、第２の位置では平面と凹部との間に配置される実施形態１１記載の電子装置。
【００６５】
１３．電池の対向する第１および第２の面が押圧可能な部材が第１の位置にあるときは端壁に対して略平行であるように、電池がタブと端壁との間に受容されることが可能であって、押圧可能な部材を第２の位置へ動かすと、第１の電池が第１のタブの少なくとも１つと非係合となり、第２の電池が第２のタブの少なくとも１つと非係合となる実施形態１１記載の電子装置。
【００６６】
１４．押圧可能な部材を第２の位置へ動かすと、電池の第１および第２の面が端壁に対して傾斜されるよう、電池がそれぞれの凹部内に受容される実施形態１３記載の電子装置。
【００６７】
１５．第１および第２のウェルの凹部が、端壁および第１および第２のウェルの長手軸に対してそれぞれ傾斜されている、第１および第２の平面によって画定される実施形態１０記載の電子装置。
【００６８】
１６．ｅ．複数の第１のタブの１つと位置合わせされる第１の接点と、
ｆ．第１の電池ウェルの端壁の開口を通して、第１の電池ウェル内に突出する第２の接点と、
ｇ．複数の第２のタブの１つと位置合わせされる第３の接点と、
ｈ．第２の電池ウェルの端壁の開口を通して、第２の電池ウェル内に突出する第４の接点と
をさらに含む実施形態１０記載の電子装置。
【００６９】
１７．第１、第２、第３および第４の接点が、第１および第２の電池が第１および第２の電池ウェルにそれぞれ受容されるときに電気回路を完了させるために、第１および第２の電池と連携するよう構成されるように、第１および第３の接点が、第１および第２の電池の第１の面にそれぞれ接触し、第２および第４の接点が、第１および第２の電池の第２の面にそれぞれ接触する実施形態１６記載の電子装置。
【００７０】
１８．第１、第２、第３および第４の接点が、第１および第２の電池ウェル内の完全に装着された位置に電池を保持する弾性的に撓み得るバネを含む実施形態１７記載の電子装置。
【００７１】
１９．第１の接点が、第１の電池の周縁の近接で第１の電池に接触する実施形態１８記載の電子装置。
【００７２】
２０．第２の接点が、第１の電池の第２の面の中央領域に接触する実施形態１９記載の電子装置。
【図１】
0006464163.tif 000002
【図２】
0006464163.tif 000003
【図３】
0006464163.tif 000004
【図４】
0006464163.tif 000005
【図５】
0006464163.tif 000006
【図６】
0006464163.tif 000007
【図７】
0006464163.tif 000008